【手続補正書】
【提出日】平成26年3月7日(2014.3.7)
【手続補正１】
【補正対象書類名】明細書
【補正対象項目名】発明の名称
【補正方法】変更
【補正の内容】
【発明の名称】画像処理装置、画像処理方法及びプログラム
【手続補正２】
【補正対象書類名】明細書
【補正対象項目名】０００１
【補正方法】変更
【補正の内容】
【０００１】
本発明は、撮影シーンを判定する画像処理装置、画像処理方法及びプログラムに関する。
【手続補正３】
【補正対象書類名】明細書
【補正対象項目名】０００６
【補正方法】変更
【補正の内容】
【０００６】
上述した課題を解決するために本発明の一つの態様は、
撮影環境を基に撮影シーンを判定する画像処理装置であって、
撮影環境として周囲の匂いを検出する匂い検出手段と、
前記匂い検出手段により検出される匂いを基に前記撮影シーンを判定する判定手段と、
を備えることを特徴とする画像処理装置である。
上述した課題を解決するために本発明の他の態様は、
撮影環境として周囲の匂いを検出する匂い検出手段と、
前記匂い検出手段により検出される匂いを基に撮影動作を制御する撮影制御手段と、
を備えることを特徴とする画像処理装置である。
上述した課題を解決するために本発明の他の態様は、
撮影環境を基に撮影シーンを判定する画像処理方法であって、
撮影環境として周囲の匂いを検出する匂い検出ステップと、
前記匂い検出ステップにより検出される匂いを基に前記撮影シーンを判定する判定ステップと、
を含むことを特徴とする画像処理方法である
上述した課題を解決するために本発明の他の態様は、
撮影環境として周囲の匂いを検出する匂い検出ステップと、
前記匂い検出ステップにより検出される匂いを基に撮影動作を制御する撮影制御ステップと、
を含むことを特徴とする画像処理方法である。
【手続補正４】
【補正対象書類名】明細書
【補正対象項目名】０００７
【補正方法】変更
【補正の内容】
【０００７】
上述した課題を解決するために本発明の他の態様は、
撮影環境を基に撮影シーンを判定する画像処理装置のコンピュータに対して、
撮影環境として周囲の匂いを検出する匂い検出機能と、
前記匂い検出機能により検出される匂いを基に前記撮影シーンを判定する判定機能と、
を実現させるためのプログラムである。
上述した課題を解決するために本発明の他の態様は、
コンピュータに対して、
撮影環境として周囲の匂いを検出する匂い検出機能と、
前記匂い検出機能により検出される匂いを基に撮影動作を制御する撮影制御機能と、
を実現させるためのプログラムである。
【手続補正５】
【補正対象書類名】特許請求の範囲
【補正対象項目名】全文
【補正方法】変更
【補正の内容】
【特許請求の範囲】
【請求項１】
撮影環境を基に撮影シーンを判定する画像処理装置であって、
撮影環境として周囲の匂いを検出する匂い検出手段と、
前記匂い検出手段により検出される匂いを基に前記撮影シーンを判定する判定手段と、
を備えることを特徴とする画像処理装置。
【請求項２】
撮影環境として周囲の匂いを検出する匂い検出手段と、
前記匂い検出手段により検出される匂いを基に撮影動作を制御する撮影制御手段と、
を備えることを特徴とする画像処理装置。
【請求項３】
前記匂い検出手段により検出される匂いを基に撮影シーンを判定する判定手段を、更に備え、
前記撮影制御手段は、前記判定手段により判定される撮影シーンに応じて、前記撮影動作を制御する、
ようにしたことを特徴とする請求項２記載の画像処理装置。
【請求項４】
前記判定手段は、当該画像処理装置が備える撮像部により取得される撮像画像と前記匂い検出手段により検出される匂いを組み合わせて前記撮影シーンを、更に判定する、
ようにしたことを特徴とする請求項１あるいは請求項３に記載の画像処理装置。
【請求項５】
撮影条件を設定する撮影設定手段を、更に備え、
前記判定手段は、前記撮影設定手段により設定される撮影条件と前記匂い検出手段により検出される匂いを組み合わせて前記撮影シーンを、更に判定する、
ようにしたことを特徴とする請求項１、請求項３、請求項４のいずれかに記載の画像処理装置。
【請求項６】
前記判定手段は、前記匂い検出手段により検出される匂いから複数の撮影シーンを判定し、
前記判定手段により複数の撮影シーンが判定された場合に、判定された複数のうちのどの撮影シーンを使用するかを選択する選択手段を、更に備える、
ようにしたことを特徴とする請求項１、請求項３〜請求項５のいずれかに記載の画像処理装置。
【請求項７】
前記判定手段は、前記匂い検出手段により検出される複数の匂いを基に前記撮影シーンを前記匂いの強さに応じた順に複数判定し、
前記判定手段により複数の撮影シーンが判定された場合に、判定された複数のうちのどの撮影シーンを使用するかを選択する選択手段を、更に備える、
ようにしたことを特徴とする請求項１、請求項３〜請求項５のいずれかに記載の画像処理装置。
【請求項８】
前記判定手段により判定された撮影シーンに基づいて撮影動作を制御する撮影制御手段を、更に備える、
ようにしたことを特徴とする請求項１に記載の画像処理装置。
【請求項９】
前記判定手段は、前記匂い検出手段により検出される匂いを基に前記撮影シーンを複数判定し、
前記撮影制御手段は、前記判定手段により判定された複数の撮影シーンに基づいて撮影条件を前記判定順に制御して連続撮影を行う、
ようにしたことを特徴とする請求項２、請求項３、請求項８のいずれかに記載の画像処理装置。
【請求項１０】
前記判定手段は、前記匂い検出手段により検出される複数の匂いを基に前記撮影シーンを複数判定し、
前記判定手段により複数の撮影シーンが判定された場合に、判定された複数のうちのどの撮影シーンを使用するかを選択する選択手段を、更に備え、
前記撮影制御手段は、前記選択手段により選択された撮影シーンに基づいて前記撮影動作を制御する、
ようにしたことを特徴とする請求項２、請求項３、請求項８のいずれかに記載の画像処理装置。
【請求項１１】
前記判定手段は、前記匂い検出手段により検出される１種類の匂いから複数の撮影シーンを可能性の高い順に順次判定し、
前記撮影制御手段は、前記判定手段により判定された複数の撮影シーンに基づいて撮影条件を前記判定順に制御して連続撮影を行う、
ようにしたことを特徴とする請求項２、請求項３、請求項８のいずれかに記載の画像処理装置。
【請求項１２】
撮影シーン毎に過去の判定結果を判定履歴として記憶する判定履歴記憶手段を、更に備え、
前記判定手段は、前記複数の撮影シーンを可能性の高い順に順次判定する際に、前記判定履歴記憶手段の内容を参照し、判定回数の多い順に判定する、
ようにしたことを特徴とする請求項１１に記載の画像処理装置。
【請求項１３】
前記判定手段は、当該画像処理装置が備える撮像部により取得される撮像画像を基に前記撮影シーンを、更に判定し、
前記判定手段により前記匂いを基に判定された前記撮影シーンと前記撮像画像を基に判定された前記撮影シーンが異なる場合に、どちらの撮影シーンを使用するかを選択する選択手段を、更に備え、
前記撮影制御手段は、前記選択手段により選択された撮影シーンに基づいて前記撮影動作を制御する、
ようにしたことを特徴とする請求項２、請求項３、請求項８のいずれか記載に記載の画像処理装置。
【請求項１４】
撮影環境を基に撮影シーンを判定する画像処理方法であって、
撮影環境として周囲の匂いを検出する匂い検出ステップと、
前記匂い検出ステップにより検出される匂いを基に前記撮影シーンを判定する判定ステップと、
を含むことを特徴とする画像処理方法。
【請求項１５】
撮影環境として周囲の匂いを検出する匂い検出ステップと、
前記匂い検出ステップにより検出される匂いを基に撮影動作を制御する撮影制御ステップと、
を含むことを特徴とする画像処理方法。
【請求項１６】
撮影環境を基に撮影シーンを判定する画像処理装置のコンピュータに対して、
撮影環境として周囲の匂いを検出する匂い検出機能と、
前記匂い検出機能により検出される匂いを基に前記撮影シーンを判定する判定機能と、
を実現させるためのプログラム。
【請求項１７】
コンピュータに対して、
撮影環境として周囲の匂いを検出する匂い検出機能と、
前記匂い検出機能により検出される匂いを基に撮影動作を制御する撮影制御機能と、
を実現させるためのプログラム。